(57)【要約】  【課題】特殊な曲面状の水路底面を補修する時でも、舗装機械により均一な厚さで敷き均すことができ、補修作業の効率を高める。  【解決手段】スクリード装置１６は主スクリード１７及び伸縮スクリード７，７を備える。主スクリード１７は左右分割型の上部スクリード部１８を有し、該上部スクリード部１８の下端部には水路補修用スクリード部１９を脱着可能に固定する。該下部スクリード部１９はスクリードプレート２３を有し、スクリードプレート２３の前側にはストライクオフ２４を配設する。該スクリードプレート２３及びストライクオフ２４の下面は、水路底面の形状と対応するように、正面視で下方に凸の曲線に形成する。該スクリードプレート２３及びストライクオフ２４は、通常の道路舗装用スクリードプレート２７及びストライクオフ２８と交換可能に構成する。【選択図】  図２
2006045937.tif 000002
【特許請求の範囲】
【請求項１】
機体の幅方向中央部に配設された主スクリードと、該主スクリードの前側又は後側に配置された左右一対の伸縮スクリードとを備え、水路底面に散布された舗装材を前記両スクリードにより敷き均す水路補修用スクリード装置であって、前記主スクリードの下端部にスクリードプレートが取り付けられていると共に、該スクリードプレートの下面が、前記水路底面の形状と対応するように、正面視において下方に凸の曲線を呈する形状に形成されていることを特徴とする水路補修用スクリード装置。
【請求項２】
機体の幅方向中央部に配設された主スクリードと、該主スクリードの前側又は後側に配置された左右一対の伸縮スクリードとを備え、水路底面に散布された舗装材を前記両スクリードにより敷き均す水路補修用スクリード装置であって、前記主スクリードの下端部にスクリードプレートが取り付けられていると共に、該スクリードプレートの前側にストライクオフが配設され、且つ、該スクリードプレートの下面及びストライクオフの下面が、前記水路底面の形状と対応するように、正面視において下方に凸の曲線を呈する形状に形成されていることを特徴とする水路補修用スクリード装置。
【請求項３】
上記主スクリードは、上部スクリード部と下部スクリード部に分割され、且つ、該下部スクリード部が前記上部スクリード部に脱着可能に連結されていると共に、該下部スクリード部の底面に上記スクリードプレートが設けられていることを特徴とする請求項１又は２記載の水路補修用スクリード装置。
【請求項４】
上記下方に凸の曲線を呈する形状に形成されたスクリードプレートに代え、下面が正面視において直線を呈するように形成された道路舗装用スクリードプレートに組み替えることができるように構成されていることを特徴とする請求項１又は３記載の水路補修用スクリード装置。
【請求項５】
上記下方に凸の曲線を呈する形状に形成されたスクリードプレートに代え、下面が正面視において直線を呈するように形成された道路舗装用スクリードプレートに組み替えることができるように構成され、且つ、上記下方に凸の曲線を呈する形状に形成されたスクリードプレートの前側に配設されている上記ストライクオフに代え、下面が正面視において直線を呈するように形成された道路舗装用ストライクオフに組み替えることができるように構成されていることを特徴とする請求項２又は３記載の水路補修用スクリード装置。
【発明の詳細な説明】
【技術分野】
【０００１】
本発明は、水路補修用スクリード装置に関するものであり、特に、人工水路の洗堀磨耗面を補修する際に使用して好適な水路補修用スクリード装置に関するものである。
【背景技術】
【０００２】
従来の舗装機械としては、図１１及び図１２に示すように、機体の前部に設けられた舗装材（アスファルト合材）が投入されるホッパ１と、該ホッパ１に投入された舗装材を機体後部に搬送して路面上に散布するコンベア（図示せず）と、散布された舗装材を敷き均すスクリード装置２とを備えたアスファルトフィニッシャ３が知られている。
【０００３】
此種スクリード装置２は、図１３及び図１４に示すように、機体の幅方向中央部に設けられた屈曲可能な左右分割型の主スクリード４と、該主スクリード４の左右両端部を支持するスクリードアーム５，５と、前記主スクリード４の左右分割部同士を屈曲部の上部において左右幅方向へ拡幅自在に連結するクラウン装置６と、前記主スクリード４の後側に配置された一対の伸縮スクリード７，７とを備える。
【０００４】
前記主スクリード４のスクリードフレーム１１の上には、図１５に示すように、ブロア８から導入された空気を加熱して下方のダクト９に供給するためのバーナ１０が設けられている。又、前記主スクリード４は、下端部がＬ形に屈曲形成されたフランジ１１ａを有し、該フランジ１１ａのＬ形下端部には、スクリードプレート１２がボルト１３により固定されている。
【０００５】
更に、前記スクリードプレート１２の前側には、前方に向かって上方へ湾曲するストライクオフ１４が配設され、該ストライクオフ１４の後端面は前記スクリードプレート１２の前端面に密着している。又、該ストライクオフ１４は、前記主スクリード４に取り付けた支持手段（ストライクオフ高さ調整装置、ストライクオフ角度調整装置等を含む）により支持され、機体走行時には、前記スクリードプレート１２下側への舗装材の流れ込みを容易にする。
【０００６】
更に又、該ストライクオフ１４及びスクリードプレート１２の下面形状は共に、平坦な道路舗装面と対応するように、正面視において水平な直線を呈する形状に形成され、該スクリードプレート１２の下面全域はフラットな面に形成されている。斯くして、機体の走行に伴い道路面に散布された舗装材は、前記ストライクオフ１４により前記スクリードプレート１２の下側に円滑に流れ込んで、該スクリードプレート１２の下面により敷き均される（特許文献１参照）。
【特許文献１】特開２００１−１１８１６号公報
【発明の開示】
【発明が解決しようとする課題】
【０００７】
上記特許文献１記載のスクリード装置２は、被舗装面が平坦な道路面であれば、前記ストライクオフ１４及びスクリードプレート１２により、道路面に散布された舗装材を均一な厚さにスムーズに敷き均すことができる。しかし、被舗装面が平坦状に形成されていない場合、例えば、下方に凸の曲面に形成された特殊な水路底面である場合は、前記ストライクオフ１４及びスクリードプレート１２により、舗装材を均一な厚さに敷き均すことはできない。従って、前記特殊な曲面形状の水路底面を補修するときは、上記スクリード装置２を用いた機械作業が困難になり、人手により水路底面上の舗装材を均一な厚さに修正する必要があり、補修作業の効率が著しく低下するという問題があった。
【０００８】
又、特に、小型アスファルトフィニッシャ等のスクリード装置においては、スクリードプレートの前端部に上方へ湾曲する曲げ部分を形成し、該曲げ部分にストライクオフの機能を兼ねさせるように構成したものがあるが、このものにおいても上記同様に、スクリードプレートの下面形状が、正面視において水平な直線を呈する形状に形成されているので、特殊な曲面形状の水路底面を補修するときは、スクリード装置を用いた機械作業が困難になる等の問題があった。
【０００９】
そこで、特殊な曲面形状の水路底面を補修する場合でも、スクリード装置を使用して舗装材を均一な厚さに舗装でき、補修作業の効率を高めるために解決せられるべき技術的課題が生じてくるのであり、本発明は該課題を解決することを目的とする。
【課題を解決するための手段】
【００１０】
本発明は上記目的を達成するために提案されたものであり、請求項１記載の発明は、機体の幅方向中央部に配設された主スクリードと、該主スクリードの前側又は後側に配置された左右一対の伸縮スクリードとを備え、水路底面に散布された舗装材を前記両スクリードにより敷き均す水路補修用スクリード装置であって、前記主スクリードの下端部にスクリードプレートが取り付けられていると共に、該スクリードプレートの下面が、前記水路底面の形状と対応するように、正面視において下方に凸の曲線を呈する形状に形成されている水路補修用スクリード装置を提供する。
【００１１】
この構成によれば、前記主スクリードのスクリードプレート下面が、正面視において下方に凸の円弧状、楕円状等の曲線に形成されているので、特殊な水路底面を舗装材で補修する場合、該被補修面に適合する凸状の曲面を有する前記スクリードプレートにより舗装材を敷き均して補修を行う。本発明は、特に、スクリードプレートの前端部に上方へ湾曲する曲げ部分（ストライクオフを兼用する部分）を形成した小型のアスファルトフィニッシャ等のスクリード装置において好適に適用できる。
【００１２】
請求項２記載の発明は、機体の幅方向中央部に配設された主スクリードと、該主スクリードの前側又は後側に配置された左右一対の伸縮スクリードとを備え、水路底面に散布された舗装材を前記両スクリードにより敷き均す水路補修用スクリード装置であって、前記主スクリードの下端部にスクリードプレートが取り付けられていると共に、該スクリードプレートの前側にストライクオフが配設され、且つ、該スクリードプレートの下面及びストライクオフの下面が、前記水路底面の形状と対応するように、正面視において下方に凸の曲線を呈する形状に形成されている水路補修用スクリード装置を提供する。
【００１３】
この構成によれば、前記主スクリードのスクリードプレート下面及びストライクオフ下面が、正面視において下方に凸の円弧状、楕円状等の曲線に形成されているので、特殊な水路底面を舗装材で補修する場合、該被補修面に適合する凸状の曲面を有する前記スクリードプレート及びストライクオフにより舗装材を敷き均して補修を行う。
【００１４】
請求項３記載の発明は、上記主スクリードは、上部スクリード部と下部スクリード部に分割され、且つ、該下部スクリード部が前記上部スクリード部に脱着可能に連結されていると共に、該下部スクリード部の底面に上記スクリードプレートが設けられている請求項１又は２記載の水路補修用スクリード装置を提供する。
【００１５】
この構成によれば、前記下部スクリード部が前記上部スクリード部に脱着可能に連結されているので、曲率半径の異なる曲面の被補修面を補修する場合、該曲面形状と適合する前記下部スクリード部、即ち、前記被補修面の曲面と適合する曲率半径をもつ前記スクリードプレートを有する前記下部スクリード部に組み替えて補修を行う。
【００１６】
請求項４記載の発明は、上記下方に凸の曲線を呈する形状に形成されたスクリードプレートに代え、下面が正面視において直線を呈するように形成された道路舗装用スクリードプレートに組み替えることができるように構成されている請求項１又は３記載の水路補修用スクリード装置を提供する。
【００１７】
この構成によれば、請求項１又は３記載の水路補修用スクリード装置に於いて、水路底面を補修した後に、通常の平坦な道路舗装面を補修する場合は、前記特殊な水路補修用のスクリードプレートに代えて、下面の正面視形状が直線に形成されたスクリードプレートを有する通常の道路舗装用スクリードプレートに組み替えて補修を行う。
【００１８】
請求項５記載の発明は、上記下方に凸の曲線を呈する形状に形成されたスクリードプレートに代え、下面が正面視において直線を呈するように形成された道路舗装用スクリードプレートに組み替えることができるように構成され、且つ、上記下方に凸の曲線を呈する形状に形成されたスクリードプレートの前側に配設されている上記ストライクオフに代え、下面が正面視において直線を呈するように形成された道路舗装用ストライクオフに組み替えることができるように構成されている請求項２又は３記載の水路補修用スクリード装置を提供する。
【００１９】
この構成によれば、請求項２又は３記載の水路補修用スクリード装置に於いて、水路底面を補修した後に、通常の平坦な道路舗装面を補修する場合は、前記特殊な水路補修用のスクリードプレート及びストライクオフに代えて、下面の正面視形状が直線に形成された通常の道路舗装用スクリードプレート及び道路舗装用ストライクオフに組み替えて補修を行う。
【発明の効果】
【００２０】
請求項１記載の発明は、被補修面が特殊な曲面形状を有する水路底面である場合でも、該水路底面の曲面形状と適合する曲面形状を有する前記スクリードプレートを用いることができるので、水路底面上に散布された舗装材を均一な厚さに敷き均すことができ、舗装材を人手作業により均一な厚さに修正する必要がなく、補修作業の効率を著しく向上させることができる。
【００２１】
請求項２記載の発明は、被補修面が特殊な曲面形状を有する水路底面であっても、これに適合する曲面形状を有する前記スクリードプレート及びストライクオフを用いることにより、水路底面上に散布された舗装材を均一な厚さに敷き均すことができ、舗装材を人手作業により均一な厚さに修正する必要がなく、補修作業の効率が向上する。
【００２２】
請求項３記載の発明は、被補修面の曲面形状と適合する曲率半径をもつ前記スクリードプレートに組み替えて補修できるので、請求項１又は２記載の効果に加えて、曲面の半径が異なる被補修面を補修する場合でも容易に対応することができる。この場合、前記上部スクリード部から水路補修用の下部スクリード部のみを取り外して組み替えれば良く、該上部スクリード部に組付けられたスクリード保持装置、加熱装置等の付属装置は一切取り外す必要がなく、組替え作業を容易迅速に行える。
【００２３】
請求項４記載の発明は、特殊な曲面を有する前記水路補修用のスクリードプレートと、通常の平面を有する道路舗装用スクリードプレートとが互いに組み替え可能に構成されている。従って、曲面状の被舗装面を補修する特殊な水路補修作業、又は平坦状の被舗装面を補修する通常の道路舗装作業に応じて、水路底面用のスクリードプレート又は道路用のスクリードプレートと取り替えて補修を行えるので、請求項１又は３記載の効果に加えて、スクリード装置を１台用意するだけで、特殊な水路補修作業及び通常の道路舗装作業の
双方を行うことができ、作業可能な補修路面の対象範囲が著しく拡大するメリットを有する。
【００２４】
請求項５記載の発明は、特殊な曲面を有する前記水路補修用のスクリードプレート及びストライクオフと、通常の平面を有する道路舗装用のスクリードプレート及びストライクオフとがそれぞれ相互に組み替え可能に構成されている。従って、曲面状の被舗装面を補修する特殊な水路補修作業、或いは平坦状の被舗装面を補修する通常の道路舗装作業に応じて、水路底面用のスクリードプレート及びストライクオフに取り替えたり、或いは道路用のスクリードプレート及びストライクオフに取り替えた後に補修できるので、請求項２又は３記載の効果に加えて、スクリード装置を１台用意するだけで、特殊な水路補修作業及び通常の道路舗装作業の双方を行うことができ、作業可能な補修路面の対象範囲が著しく拡大するメリットを有する。
【発明を実施するための最良の形態】
【００２５】
本発明は、機体の幅方向中央部に配設された主スクリードと、該主スクリードの前側又は後側に配置された左右一対の伸縮スクリードとを備え、水路底面に散布された舗装材を前記両スクリードにより敷き均す水路補修用スクリード装置であって、前記主スクリードの下端部にスクリードプレートが取り付けられていると共に、該スクリードプレートの下面が、前記水路底面の形状と対応するように、正面視において下方に凸の曲線を呈する形状に形成されていることにより、被舗装面が特殊な曲面を有する水路底部等であっても、舗装材を均一な厚さに敷き均して舗装でき、且つ、補修作業の効率を向上させるという目的を実現した。
【実施例】
【００２６】
以下、本発明の一実施例を図１乃至図１０に従って説明する。尚、本実施例に係るスクリード装置１６は、図１１及び図１２に示した従来のアスファルトフィニッシャと同一型式の舗装機械に適用したものであり、上記従来例と同一の構成要素には、これと同一の符号を付して詳細な説明を省略する。
【００２７】
前記スクリード装置１６は、図１及び図２に示すように、その左右幅方向の中央部に設けられた主スクリード１７と、該主スクリード１７の後側又は前側に配置された左右一対の伸縮スクリード７，７とを備えている。
【００２８】
前記主スクリード１７は、屈曲可能な左右分割型の上部スクリード部（スクリード本体）１８と、該上部スクリード部１８の下端部に脱着可能に連結された水路補修用下部スクリード部１９とから成り、前記上部スクリード部１８は左右一対のスクリードアーム５，５により支持されている。又、前記上部スクリード部１８の上側中央部には、前記左右分割部同士を屈曲部の上部において左右方向へ拡幅するクラウン装置６が設けられている。該クラウン装置６により、該上部スクリード部１８の左右分割部は、曲率半径の大きさが多少異なる舗装面を敷き均す場合であっても、これに柔軟に対応できるように構成されている。
【００２９】
前記上部スクリード部１８のスクリードフレーム２０の上には、前記クラウン装置６、図示しない上下タンパ付きストライクオフ調整装置、伸縮スクリード用シリンダ及びそれら油圧配管並びに各種制御手段が配設されているほか、図３に示すように、空気を導入するブロア８と、導入された空気を加熱するバーナ１０と、加熱された空気を後述の水路補修用スクリードプレート２３側へ供給するダクト９とが設けられている。
【００３０】
前記下部スクリード部１９は、前記上部スクリード部１８のスクリードフレーム２０のＬ形下端フランジ部２０ａにボルト２１を介して脱着可能に連結された縦リブフランジ２
２と、該縦リブフランジ２２の下端部に固設された水路補修用スクリードプレート２３とから成る。斯くして、前記ボルト２１を緩めることにより、シンプルな構造の下部スクリード部１９のみを前記上部スクリード部１８から簡単に取り外すことができる。
【００３１】
前記スクリードプレート２３は、前記ダクト９から熱気が吹き付けられて所定温度に加熱される。又、前記スクリードプレート２３が固設された縦リブフランジ２２の上下幅寸法は、図２に示すように、左右両端から中央に向かうに伴い漸次増大している。斯くして、該スクリードプレート２３の下面は、前記水路底面（被舗装面）の曲面形状と対応するように、正面視において、下方に凸の円弧状又は楕円状等の曲線を呈する形状に形成されている。
【００３２】
該スクリードプレート２３の前側には、図３及び図４に示すように、前方に向かって上方へ湾曲する左右分割型の水路補修用ストライクオフ２４が配設され、該ストライクオフ２４の後端面は前記スクリードプレート２３の前端面に密着している。又、該ストライクオフ２４は、前記上部スクリード部１８の上に取り付けた支持手段（ストライクオフ高さ調整装置、ストライクオフ角度調整装置等を含む）により支持され、機体が水路底面を走行して舗装を行う時は、前記ストライクオフ２４により前記スクリードプレート２３下側への舗装材の流れ込みを容易にする。
【００３３】
該ストライクオフ２４の上下幅寸法は、図５に示すように、左右両端から中央に向かうに伴い漸次増大し、これにより、該ストライクオフ２４の下面形状は、前記水路補修用スクリードプレート２３の下面形状と同様に、水路底面の曲面形状と対応するように、正面視において、下方に凸の円弧状又は楕円状等の曲線を呈する形状に形成されている。従って、該ストライクオフ２４及び前記スクリードプレート２３の下面形状は、前記水路底面の曲面形状と見合った凸状の曲面を有している。
【００３４】
前記上部スクリード部１８のＬ形下端フランジ部２０ａには、図６及び図７に示すように、特殊な水路補修用下部スクリード部１９に代えて、通常のフラット形状の道路舗装用下部スクリード部２５に組み替えることができる。この下部スクリード部２５は、前記上部スクリード部１８のスクリードフレーム２０の下端フランジ２０ａにボルト２１により脱着可能に連結された前記縦リブフランジ２６と、該縦リブフランジ２６の下端に固設された道路舗装用スクリードプレート２７とから成る。又、該スクリードプレート２７の下面全域はフラットな面に形成されている。
【００３５】
更に、水路補修用下部スクリード部１９のスクリードプレート２３の前側に配設されていた水路補修用ストライクオフ２４についても、これに代えて、通常の道路舗装用ストライクオフ２８に組み替えることができ、該ストライクオフ２８は、図８に示すように、左右分割型に形成されている。又、該左右分割型の道路舗装用ストライクオフ２８の下面形状は、前記道路舗装用スクリードプレート２７の下面形状と同様に、平坦な道路舗装面と対応するように、正面視において直線を呈する形状に形成されている。
【００３６】
尚、前記ストライクオフ２４，２８は、図９又は図１０に示すように、前記上部スクリード部１８に取り付けた角度調整機構付きストライクオフ高さ調整装置２９又はストライクオフ角度調整装置３０で支持することにより、前記ストライクオフ２４，２８の高さ調整や角度調整を行えるように構成できるが、この場合、該ストライクオフ２４，２８の組み替え作業は、前記ストライクオフ高さ調整装置２９の連結ピン３１又はストライクオフ角度調整装置３０の連結ピン３２を介して容易に行える。
【００３７】
本実施例において、下方に凸の特殊な円弧状曲面を有する発電用水路底部の洗堀磨耗部を補修する際は、これと対応する円弧状曲面の前記スクリードプレート２３が形成された
水路補修用下部スクリード部１９を用意し、図２に示すように、これを前記上部スクリード部１８のスクリードフレーム２０のＬ形下端フランジ部２０ａにボルト２１により固定して取り付ける。取付後、アスファルトフィニッシャを水路底部に沿って走行させる。この走行に伴い、水路底部の被補修面上に散布された舗装材は、前記水路補修用スクリードプレート２３の下側に流れ込んで、該スクリードプレート２３の下面により敷き均される。
【００３８】
この場合、該スクリードプレート２３及びその前側のストライクオフ２４の下面は、前記被補修面と対応する凸状曲面に形成されているので、該ストライクオフ２４により前記舗装材の流れ込みが円滑になり、前記スクリードプレート２３によって舗装材が均一な厚さで敷き均される。又、曲率半径の大きさが多少異なる舗装面であっても、上部スクリード部１８の左右分割部は、舗装形状面に対応して屈曲自在に追随できるので、良好な補修作業を安定して行える。
【００３９】
次に、曲率半径の異なる曲面を有する被補修面を補修する場合は、これと見合った曲率半径を有する前記スクリードプレート２３が形成された水路補修用下部スクリード部１９に組み替えて補修する。従って、被補修面の曲率半径が異なる場合でも、該曲率半径と見合った前記スクリードプレート２３と交換することにより、容易に対応することができる。
【００４０】
この後、通常の平坦な道路舗装面を補修する際は、前記上部スクリード部１８から水路補修用下部スクリード部１９を取り外し、フラットなスクリードプレート２７を有する道路舗装用下部スクリード部２５に組み替えると共に、水路補修用ストライクオフ２４に代え、通常の道路舗装用ストライクオフ２８に組み替えて補修する。この場合、該道路舗装用スクリードプレート２７及びストライクオフ２８の下面形状は共に、平坦な道路舗装面と対応する形状であるので、前記スクリードプレート２７下側への舗装材の流し込むが円滑になり、該舗装材を均一な厚さで敷き均すことができる。
【００４１】
斯くして、被補修面が通常の平坦面又は特殊な曲面であっても、これと対応する平坦面状の道路舗装用スクリードプレート２５又は曲面状の水路補修用スクリードプレート２３に交換できるので、１台の前記スクリード装置１６により補修できる作業範囲が著しく拡大する。この組替え時において、前記スクリードア−ム５、伸縮スクリード７、ブロワ８、ダクト９及びバーナ１０等は前記上部スクリード部１８に取り付けたままで良いので、前記組み替え作業を容易迅速に行うことができる。
【００４２】
尚、本発明は、本発明の精神を逸脱しない限り種々の改変を為すことができ、そして、本発明が該改変されたものに及ぶことは当然である。
【図面の簡単な説明】
【００４３】
【図１】本発明の一実施の形態に係る水路補修用スクリードプレートを有するスクリード装置を示す平面図。
【図２】図１の後面図。
【図３】図２のＡ−Ａ線断面図。
【図４】図２のＢ−Ｂ線断面図。
【図５】本発明の一実施の形態に係る水路補修用ストライクオフを示す斜視図。
【図６】本発明の一実施の形態に係る道路舗装用スクリードプレートを有するスクリード装置を示す後面図。
【図７】図６のＣ−Ｃ線断面図。
【図８】本発明の一実施の形態に係る道路舗装用ストライクオフを示す斜視図。
【図９】本発明の一実施の形態に係るストライクオフ高さ調整装置を含む主スクリードを示す断面図。
【図１０】本発明の一実施の形態に係るストライクオフ角度調整装置を含む主スクリードを示す断面図。
【図１１】従来のスクリード装置を備えた舗装機械の平面図。
【図１２】図１１の側面図。
【図１３】従来のスクリード装置を示す平面図。
【図１４】図１３の後面図。
【図１５】図１４のＤ−Ｄ線断面図。
【符号の説明】
【００４４】
１      ホッパ
２      スクリード装置
３      アスファルトフィニッシャ（舗装機械）
４      主スクリード
５      スクリードアーム
６      クラウン装置
７      伸縮スクリード
８      ブロア
９      ダクト
１０    バーナ
１１    スクリードフレーム
１１ａ  フランジ
１２    スクリードプレート
１３    ボルト
１４    ストライクオフ
１６    スクリード装置
１７    主スクリード
１８    上部スクリード部（スクリード本体）
１９    下部スクリード部
２０    スクリードフレーム
２０ａ  下端フランジ部
２１    ボルト
２２    縦リブフランジ
２３    スクリードプレート
２４    ストライクオフ
２５    下部スクリード部
２６    縦リブフランジ
２７    スクリードプレート
２８    ストライクオフ
２９    ストライクオフ高さ調整装置
３１    連結ピン（連結部材）
３０    ストライクオフ角度調整装置
３２    連結ピン（連結部材）
【図１】
2006045937.tif 000003
【図２】
2006045937.tif 000004
【図３】
2006045937.tif 000005
【図４】
2006045937.tif 000006
【図５】
2006045937.tif 000007
【図６】
2006045937.tif 000008
【図７】
2006045937.tif 000009
【図８】
2006045937.tif 000010
【図９】
2006045937.tif 000011
【図１０】
2006045937.tif 000012
【図１１】
2006045937.tif 000013
【図１２】
2006045937.tif 000014
【図１３】
2006045937.tif 000015
【図１４】
2006045937.tif 000016
【図１５】
2006045937.tif 000017